(57)【要約】【課題】他の包装体に再利用することが容易なウェットシート包装体用蓋体において、包装体の厚みによらず包装体をタイトに保持する保持性と、コンパクト性を向上する。【解決手段】ウェットシート包装体用蓋体（１００）は、包装体（１，３０）の開口部（１１）を閉塞する蓋部（１１０）と、両端が蓋部の一端に連結されて蓋部の下部にループ（Ｌ）を形成し、開口部に蓋部を配置した状態で当該ループ内に包装体を受け入れて蓋部との間に包装体を保持する保持部（１２０）とを備える。保持部は、可撓性のある帯状又は紐状の包装体保持部材１２１と、ループの大きさを調整するための調整機構１２２とを備える。調整機構としては、ぜんまいバネを用いた巻取機構１２２Ａ、通しカンと面ファスナーによる調整機構（１２２Ｂ）、平蛇腹（１２２Ｃ）等を適用し、包装体の厚み（ループの大きさ）によらない保持力を実現する。【選択図】図８
2018144846.tif 000002
【特許請求の範囲】
【請求項１】
ウェットシートが複数枚積層された状態で収納され、開口部を有する袋状の袋本体の前記開口部からウェットシートが１枚ずつ取り出されて使用されるウェットシート包装体に対して、着脱自在に取り付けられるウェットシート包装体用蓋体であって、
前記開口部を閉塞する蓋部と、
両端が前記蓋部に連結されて前記蓋部の下部にループを形成し、前記開口部に前記蓋部を配置した状態で当該ループ内に前記包装体を受け入れて前記蓋部との間に前記包装体を保持する保持部とを備え、
前記蓋部は、前記開口部を外方から囲繞する蓋開口部が形成された環状の枠体と、前記枠体に開閉自在に連結されるとともに当該枠体の表面側から前記蓋開口部を閉塞する開閉部とを備え、
前記保持部は、可撓性のある帯状又は紐状の包装体保持部材と、前記ループの大きさを調整するための調整機構とを備えるウェットシート包装体用蓋体。
【請求項２】
前記保持部の一端は、前記包装体保持部材の一端であり、前記包装体保持部材は前記枠体の前記開閉部との連結端を外側から越えて、同一端が前記開閉部に連結され、
前記保持部の他端は、前記枠体の前記連結端の反対側に連結された請求項１に記載のウェットシート包装体用蓋体。
【請求項３】
前記調整機構は、前記ループの大きさを小さくするために前記包装体保持部材を巻き取る巻取力を付与するぜんまいバネを備える請求項１又は請求項２に記載のウェットシート包装体用蓋体。
【請求項４】
前記調整機構は、前記包装体保持部材を通す通しカンと、前記包装体保持部材に付設される面ファスナーとを備える請求項１又は請求項２に記載のウェットシート包装体用蓋体。
【請求項５】
前記調整機構は、前記包装体保持部材と前記蓋部との間を伸縮自在に連結する平蛇腹を備える請求項１又は請求項２に記載のウェットシート包装体用蓋体。
【発明の詳細な説明】
【技術分野】
【０００１】
本発明は、ウェットシート包装体に取り付けて使用されるウェットシート包装体用蓋体に関する。
【背景技術】
【０００２】
従来、水分、アルコールや液体の薬剤を含有させたウェットティシューなどのウェットシートを収納する袋状の包装体が知られている。一般に、上記包装体は、再接着可能なフィルムラベル状の蓋材を備えており、未使用時にはこの蓋材を取出口としての開口部の周縁に接着させて開口部を塞ぐことができるようになっている。
また、上記従来の包装体において蓋材の開閉を繰り返すと、蓋材の粘着面に薬液やゴミが付着して粘着力が低下するため、蓋材が自動的に剥がれてしまう虞がある。また、蓋材の粘着力の低下に伴いシール性も低下するため、包装体内部の気密性が低下してしまう虞もある。
そのため、包装体内部の気密性を確保すべく、上記フィルムラベル状の蓋材を外方から囲繞する開口部が形成された環状の枠体と、枠体に開閉自在に設けられるとともに枠体の表面側から開口部を閉塞する蓋部材と、を有する蓋体を、枠体の裏面に塗布された接着剤を介して包装体の上面に接着させたものが開示されている（特許文献１）。
さらに、特許文献２に記載には、他の包装体に再利用することを容易にするために、一端が蓋部に連結され、包装体を側方から挟持して蓋部を包装体の開口部上に配置させる挟持部を備えたものが記載されている。
特許文献１に記載の蓋体によれば、挟持部の折り曲げ変形やバネの利用の挟み機構により、包装体に押圧力を付与し、シート枚数変化等による包装体の厚みの変化に対応することができる。
【先行技術文献】
【特許文献】
【０００３】
【特許文献１】特開２０１１−２５９８０号公報
【特許文献２】特開２０１４−０６９８２０号公報
【発明の概要】
【発明が解決しようとする課題】
【０００４】
しかし、以上の従来技術にあってもさらに次のような問題があった。
シート枚数変化等による包装体の厚みの変化に対応するために、特許文献２に記載の蓋体においては、包装体を押圧する挟持部は略断面コの字状の構造であるため、包装体を囲み持つような保持構造ではなく側方から銜え込む。側方から銜え込むため、取り付けにくく、包装体が薄くなるほど外れやすくはなる。
さらに、特許文献２に記載の蓋体においては、挟持部の折り曲げ変形やバネの利用の挟み機構により包装体を押圧するので、包装体の表面からの挟持部自体の突出量が大きく、包装体から取り外している未使用時もあまりコンパクトとならない。
【０００５】
本発明は以上の従来技術における問題に鑑みてなされたものであって、他の包装体に再利用することが容易なウェットシート包装体用蓋体において、包装体の厚みによらず包装体をタイトに保持する保持性と、コンパクト性を向上することを課題とする。
【課題を解決するための手段】
【０００６】
以上の課題を解決するための請求項１記載の発明は、ウェットシートが複数枚積層された状態で収納され、開口部を有する袋状の袋本体の前記開口部からウェットシートが１枚ずつ取り出されて使用されるウェットシート包装体に対して、着脱自在に取り付けられるウェットシート包装体用蓋体であって、
前記開口部を閉塞する蓋部と、
両端が前記蓋部に連結されて前記蓋部の下部にループを形成し、前記開口部に前記蓋部を配置した状態で当該ループ内に前記包装体を受け入れて前記蓋部との間に前記包装体を保持する保持部とを備え、
前記蓋部は、前記開口部を外方から囲繞する蓋開口部が形成された環状の枠体と、前記枠体に開閉自在に連結されるとともに当該枠体の表面側から前記蓋開口部を閉塞する開閉部とを備え、
前記保持部は、可撓性のある帯状又は紐状の包装体保持部材と、前記ループの大きさを調整するための調整機構とを備えるウェットシート包装体用蓋体である。
【０００７】
請求項１記載の発明によれば、ウェットシート包装体用蓋体を包装体の上面に接着させる必要がなくなるので、ウェットシート包装体用蓋体を他の包装体に再利用することが容易となり、使用者にとって利便性がよい。
また、包装体を保持部によるループと蓋部とで囲むように保持するため、取り付け取り外しが容易で、当該ループを調整することで包装体をタイトに保持する。そのため、使用中は外れにくく、包装体の内部に収納されたウェットシートに対して圧力を加えることができる。ウェットシートに対して圧力を加えることができるため、残り枚数が少なくなったウェットシートを取り出す場合であっても、ポップアップ性が低下することはなく、取り出し易さを確保することができる。
保持部は、ループの大きさを調整するための調整機構のほか、可撓性のある帯状又は紐状の包装体保持部材で構成されるため、使用時は、包装体保持部材が包装体の表面に沿ってコンパクトに収まり、包装体から取り外している未使用時も、包装体保持部材を畳んだり、巻いたりするなどしてコンパクトに収容できる。
【０００８】
請求項２記載の発明は、前記保持部の一端は、前記包装体保持部材の一端であり、前記包装体保持部材は前記枠体の前記開閉部との連結端を外側から越えて、同一端が前記開閉部に連結され、
前記保持部の他端は、前記枠体の前記連結端の反対側に連結された請求項１に記載のウェットシート包装体用蓋体である。
【０００９】
請求項２記載の発明によれば、蓋部の開閉部を開くと、開閉部が包装体保持部材に引かれて開く方へ付勢され、閉まる方へ戻りにくくなるため、ウェットシートの取出しがしやすい。
【００１０】
請求項３記載の発明は、前記調整機構は、前記ループの大きさを小さくするために前記包装体保持部材を巻き取る巻取力を付与するぜんまいバネを備える請求項１又は請求項２に記載のウェットシート包装体用蓋体である。
【００１１】
請求項３記載の発明によれば、ウェットシートの枚数、従ってループの大きさによらずに、ぜんまいバネの定荷重特性により、ウェットシート（包装体）に付与する圧力を適度な範囲に保つことができる。
【００１２】
請求項４記載の発明は、前記調整機構は、前記包装体保持部材を通す通しカンと、前記包装体保持部材に付設される面ファスナーとを備える請求項１又は請求項２に記載のウェットシート包装体用蓋体である。
【００１３】
請求項４記載の発明によれば、調整機構を簡素な構成で軽薄に構成でき、コンパクト性、軽量性を高レベルに追求できるとともに、伸縮操作が容易であり、ウェットシート（包装体）に付与する圧力を適度な範囲に調整可能である。
【００１４】
請求項５記載の発明は、前記調整機構は、前記包装体保持部材と前記蓋部との間を伸縮自在に連結する平蛇腹を備える請求項１又は請求項２に記載のウェットシート包装体用蓋体である。
【００１５】
請求項５記載の発明によれば、調整機構を簡素な構成で軽薄に構成でき、コンパクト性、軽量性を追求できるとともに、伸縮操作が極めて容易であり、ウェットシート（包装体）に付与する圧力を適度な範囲に調整可能である。
【発明の効果】
【００１６】
以上のように本発明によれば、他の包装体に再利用することが容易なウェットシート包装体用蓋体において、包装体の厚みによらず包装体をタイトに保持する保持性と、コンパクト性を向上することができる。
【図面の簡単な説明】
【００１７】
【図１】本実施形態のウェットシート包装体用蓋体をウェットシート包装体に装着させた様子の一例を示す外観斜視図である。
【図２】ウェットシート包装体の全体構成を示す外観斜視図である。
【図３】本実施形態のウェットシート包装体用蓋体の全体構成を示す外観斜視図である。
【図４】本実施形態のウェットシート包装体用蓋体をウェットシート包装体に装着させた様子の他の一例を示す外観斜視図である。
【図５】本実施形態のウェットシート包装体用蓋体の全体構成を示す側面図である。
【図６】本実施形態のウェットシート包装体用蓋体が装着されたウェットシート包装体の底面図である。
【図７】図１のＶＩＩ−ＶＩＩ部の一例を示す断面図である。
【図８】図１のＶＩＩ−ＶＩＩ部の一例を示す断面図であって、調整機構がぜんまいバネを用いた巻取機構による場合を模式的に示す。
【図９】ぜんまいバネを用いた巻取機構である一例の調整機構の内部透視斜視図である。
【図１０】図１のＶＩＩ−ＶＩＩ部の一例を示す断面図であって、調整機構が通しカンと面ファスナーによる場合を模式的に示す。
【図１１】図１のＶＩＩ−ＶＩＩ部の一例を示す断面図であって、調整機構が平蛇腹による場合を模式的に示す。
【発明を実施するための形態】
【００１８】
以下に本発明の一実施形態につき図面を参照して説明する。以下は本発明の一実施形態であって本発明を限定するものではない。
また、説明の便宜のため、図中に示すようにウェットシート包装体の上下方向軸をＺ軸とし、Ｚ軸に垂直な方向軸をＸ軸及びＹ軸とし、Ｘ軸はウェットシート包装体の１辺（図では長辺）に平行な方向、Ｙ軸はＸ軸に垂直な方向とする。
【００１９】
（実施形態の構成）
本実施形態に係るウェットシート包装体用蓋体１００（以下、蓋体１００と略する）は、図１に示すように、ウェットシート包装体１に着脱自在に装着させることにより使用されるものである。
【００２０】
（ウェットシート包装体）
まず、ウェットシート包装体１の構成について説明する。
ウェットシート包装体１は、図２に示すように、開口部１１を有する袋状の袋本体１０と、開口部１１を開閉自在に覆うフィルムラベル状の蓋材２０と、を備える包装体３０の内部にウェットシートＳが複数枚積層された状態で収納され、開口部１１からウェットシートＳが１枚ずつ取り出されて使用されるようになっている。
なお、以下の説明では、包装体３０において、開口部１１が形成された面を上面、開口部１１が形成された面と反対側の面を底面とする。
【００２１】
袋本体１０は、シート材により袋状に構成されている。シート材としては、例えば、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を貼り合わせた複合シート等を使用することができる。なお、袋本体１０を構成するシート材には、液密性又は気密性を有するシート材を用いるのが好ましい。
また、袋本体１０を構成するシート材は、袋本体１０の底面側（図示略）で袋本体１０の長手方向に沿って接合されるとともに、袋本体１０の長手方向の両端部で対向する面同士が接合されている。
【００２２】
袋本体１０の上面には、内部に収納するウェットシートＳを取り出すための開口部１１が形成されている。開口部１１の形状は、特に限定されることはなく、図２に示したような楕円形としてもよいし、或いは円形、方形、方形の角を丸めた形状など任意の形状とすることができる。
【００２３】
蓋材２０は、袋本体１０とは別体のシート片により、開口部１１を開閉自在に覆うように構成されている。蓋材２０の材質としては、袋本体１０と同様に、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を張り合わせた複合シート等を使用することができる。蓋材２０の形状は、開口部１１を完全に覆うことができれば特に限定されることはなく、例えば、矩形状、楕円形状など任意の形状とすることができる。
また、蓋材２０の裏面には、ポリエステル系、アクリル系、ゴム系等の感圧接着剤が塗布されており、蓋材２０は、開口部１１を開閉自在に覆うように袋本体１０に接着されるようになっている。
【００２４】
袋本体１０は、Ｘ軸方向１００ｍｍ〜３００ｍｍ、好ましくは１５０ｍｍ〜２００ｍｍ、Ｙ軸方向５０ｍｍ〜１５０ｍｍ、好ましくは７０ｍｍ〜１００ｍｍ、Ｚ軸方向１０ｍｍ〜８０ｍｍ、好ましくは３０ｍｍ〜６０ｍｍの寸法を有する。かかる寸法とするのは、汎用的に存在するウェットシート袋本体の寸法によるためである。
開口部１１は、Ｘ軸方向２０ｍｍ〜８０ｍｍ、好ましくは４０ｍｍ〜６０ｍｍ、Ｙ軸方向２０ｍｍ〜４０ｍｍ、好ましくは２５ｍｍ〜３５ｍｍの寸法を有する。かかる寸法とするのは、汎用的に存在するウェットシート袋本体開口部の寸法によるためである。
蓋材２０は、Ｘ軸方向５０ｍｍ〜１５０ｍｍ、好ましくは８０ｍｍ〜１２０ｍｍ、Ｙ軸方向３０ｍｍ〜１００ｍｍ、好ましくは６０ｍｍ〜９０ｍｍの寸法を有する。かかる寸法とするのは、汎用的に存在するウェットシート用蓋材の寸法によるためである。  
【００２５】
（ウェットシート）
ウェットシートＳは、上記の包装体３０の内部に、複数枚積層された状態（ウェットシート積層体Ｓ１）で収納されている。なお、ウェットシートＳを積層する枚数としては、１０〜１００枚程度であることが好ましい。ウェットシートＳは、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて使用することができる。
【００２６】
（蓋体）
次に、蓋体１００の構成について説明する。
蓋体１００は、図１及び図３〜図７に示すように、袋本体１０の開口部１１を閉塞する蓋部１１０と、両端が蓋部１１０に連結されて蓋部１１０の下部にループＬを形成する保持部１２０とを備える。ループＬと蓋部１１０とで閉じたループが形成される。「ループＬ」は、保持部１２０のみによる部分を指す。保持部１２０は、開口部１１に蓋部１１０を配置した状態で当該ループＬ内に包装体３０を受け入れて包装体３０を保持する。
【００２７】
（蓋部）
蓋部１１０は、例えば、ポリエチレン（ＰＥ）、ポリプロピレン（ＰＰ）、ポリエチレンテレフタラート（ＰＥＴ）、ポリアミド（ＰＡ）等の熱可塑性樹脂で形成されている。
蓋部１１０は、図４に示すように、開口部１１及び蓋材２０を外方から囲繞する蓋開口部１１１ａが形成された環状の枠体１１１と、枠体１１１に開閉自在に設けられるとともに枠体１１１の表面側から蓋開口部１１１ａを閉塞する開閉部１１２と、を備えて構成されている。
また、枠体１１１の裏面、即ち、包装体３０との接触面には、図５に示すように、エラストマー、シリコンゴムなどの弾力性を有する素材で形成され、保持部１２０からの押圧力によって弾性変形する密着部１１３が設けられている。この密着部１１３は、枠体１１１の形状に合わせて環状に形成されている。本実施形態の蓋部１１０は、枠体１１１の裏面に密着部１１３を設けたことにより、密着性や気密性を向上させることが可能である。
【００２８】
（保持部）
保持部１２０は、可撓性のある帯状又は紐状の包装体保持部材１２１と、ループＬの大きさを調整するための調整機構１２２とを備える。調整機構１２２がループＬの一部を形成する場合は、残りの部分を包装体保持部材１２１が形成する。包装体保持部材１２１としては、例えば、袋本体１０と同様の材料を使用することができ、軟質塩化ビニル樹脂等で薄く形成したシート材のように、薄くて包装体の表面に沿う柔軟性のある構成が好ましく、また、耐水性の素材により構成することが好ましい。
保持部１２０の一端は、包装体保持部材１２１の一端である。図５に示すように包装体保持部材１２１は枠体１１１の開閉部１１２との連結端１１１ｂを外側から越えて、包装体保持部材１２１の同一端が開閉部１１２に連結されている。保持部１２０の他端は、枠体１１１の前記連結端１１１ｂの反対側の部分１１１ｃに連結されている。
【００２９】
保持部１２０は蓋部１１０との間に包装体３０を保持する、すなわち、包装体３０を保持部１２０によるループＬと蓋部１１０で囲むように保持する。したがって、包装体３０をループＬに横から入れたり抜出したりすることで、包装体３０に蓋体１００を取り付けたり、取り外したりすることを容易に行うことができる。
図７(a)(b)に示すようにウェットシートＳの枚数が減少して包装体３０が薄くなっても、調整機構１２２によりループＬの大きさを調整することでで、包装体３０の内部に収納されたウェットシートＳに対して圧力を加えることができる。これにより、残り枚数が少なくなったウェットシートＳを取り出す場合であっても、ポップアップ性が低下することはなく、取り出し易さを確保することができる。
保持部１２０は、ループＬの大きさを調整するための調整機構１２２のほか、可撓性のある帯状又は紐状の包装体保持部材１２１で構成されるので、使用時は、図７に示すように包装体保持部材１２１が包装体３０の表面に沿ってコンパクトに収まる。包装体３０から取り外している未使用時も、包装体保持部材１２１を畳んだり、巻いたりするなどしてコンパクトに収容できる。
【００３０】
包装体保持部材１２１は、帯状とする場合の幅（Ｘ軸方向の寸法）を３０ｍｍ〜２００ｍｍ、好ましくは５０ｍｍ〜１００ｍｍとする。かかる寸法とするのは、汎用的に存在するウェットシート袋本体を保持できる寸法によるためである。包装体保持部材１２１は、紐状とする場合の太さを１ｍｍ〜１０ｍｍ、好ましくは３ｍｍ〜５ｍｍとし、２本から５本を用いる。かかる寸法とするのは、汎用的に存在するウェットシート袋本体を保持できる寸法によるためである。かかる本数とするのは、汎用的に存在するウェットシート袋本体を保持できる本数によるためである。
ループＬの長さは１４０ｍｍ〜６２０ｍｍ、好ましくは２６０ｍｍ〜４４０ｍｍ、ループＬの長さをかかる寸法とするのは、汎用的に存在するウェットシート包装袋を無理なく保持部へ取り付けたり、取り外したりすることができる寸法によるためである。
その結果、調整機構１２２による調整能力を２０ｍｍ〜３２０ｍｍ、好ましくは１２０ｍｍ〜２４０ｍｍとする。
【００３１】
（調整機構の例）
次に、調整機構１２２の例を３つ開示する。
（調整機構の例１）
図８に示す調整機構１２２Ａは、ぜんまいバネを用いた巻取機構１２２Ａであり、これにより包装体保持部材１２１を巻き取り、ループＬの大きさを小さくするために包装体保持部材１２１を巻き取る巻取力を付与する。すなわち、ループＬの大きさを能動的に調整する形態である。
ぜんまいバネを用いた巻取機構１２２Ａによれば、ループＬの大きさによらずに巻取力をほぼ一定にすることができ、ウェットシートＳの枚数によらずに、ウェットシートＳを取り出しやすい適度な圧力をウェットシートＳ（包装体３０）に付与することができる。したがって、包装体保持部材１２１をゴムバンドとして蓋部１１０の両端に連結した構成に比較して有利である。
ぜんまいバネを用いた巻取機構である調整機構１２２Ａは、図９に示すように、巻取軸１２２Ａ１の包装体保持部材１２１を巻き取る部分より軸方向に離してぜんまいバネ１２２Ａ２を設置してコンパクトに構成することが好ましい。
調整機構１２２Ａは、Ｘ軸方向５０ｍｍ〜２２０ｍｍ、好ましくは７０ｍｍ〜１２０ｍｍ、Ｙ軸方向５ｍｍ〜２０ｍｍ、好ましくは１０ｍｍ〜１５ｍｍ、Ｚ軸方向５ｍｍ〜２０ｍｍ、好ましくは１０ｍｍ〜１５ｍｍの寸法を有する。かかる寸法とするのは、保持部をコンパクトに収納できかつ巻取機構を構成できる寸法であるためである。
【００３２】
（調整機構の例２）
図１０に示す調整機構１２２Ｂは、包装体保持部材１２１を通す通しカン１２２Ｂ１と、包装体保持部材１２１に付設される面ファスナー（オス及びメスの一方１２２Ｂ２，他方１２２Ｂ３）とを備える。包装体３０の厚みの減少に応じて、手動操作により面ファスナー（オス及びメスの一方１２２Ｂ２，他方１２２Ｂ３）を付け替えて、包装体保持部材１２１によるループＬを小さくして包装体３０を締め付け直すことができる。
調整機構１２２Ｂによっても、手動操作調整により、ウェットシートＳの枚数によらずに、ウェットシートＳを取り出しやすい適度な圧力をウェットシートＳ（包装体３０）に付与することができる。
【００３３】
（調整機構の例３）
図１１に示す調整機構１２２Ｃは、包装体保持部材１２１と蓋部１１０との間を伸縮自在に連結する平蛇腹１２２Ｃである。包装体３０の厚みの減少に応じて、手動操作により平蛇腹１２２Ｃを展長、収縮させて、平蛇腹１２２Ｃと包装体保持部材１２１によるループＬを調整して包装体３０を締め付け直すことができる。
調整機構１２２Ｃによっても、手動操作調整により、ウェットシートＳの枚数によらずに、ウェットシートＳを取り出しやすい適度な圧力をウェットシートＳ（包装体３０）に付与することができる。
【００３４】
（使用方法）
次に、本実施形態に係る蓋体１００の使用方法について説明する。
まず、使用者は、蓋体１００のループＬに包装体３０を側方から挿入する。このとき、保持部１２０の両端に連結された蓋部１１０が、袋本体１０の開口部１１上に配置されるように挿入する。
次に、使用者は、蓋部１１０の開閉部１１２を開き、開口部１１を覆う蓋材２０を剥離して開口部１１を表出させる。なお、本実施形態では、蓋部１１０が開口部１１の蓋として機能することとなるため、蓋材２０は必ずしも必要ではなく、予め蓋材２０を剥離して廃棄するようにしてもよい。
次に、使用者は、開口部１１を介して、ウェットシートＳを摘みながら上方に引き出すことによりウェットシートＳを取り出して使用する。このとき、包装体３０は、保持部１２０によりタイトに締め付けられているため、包装体３０の内部に収納されたウェットシートＳに対して圧力が加わるようになっている。上述したように調整機構が手動操作による場合は、手動操作による締め直しを適宜行う。従って、ウェットシートＳの残り枚数が少なくなった場合であっても、取り出す際のポップアップ性を確保することが可能となる。
最後に、使用者は、開口部１１を覆うように蓋材２０を再接着した後、開閉部１１２を閉じることにより、包装体３０の内部を再度密封する。なお、蓋材２０を廃棄している場合は、開閉部１１２を閉じる作業のみを行う。
なお、使用者は、包装体３０の内部に収納されたウェットシートＳを全て使い果たした場合、包装体３０から蓋体１００を取り外す。このとき、蓋体１００は、保持部１２０により包装体３０を保持しているだけであるため、容易に取り外すことが可能である。
そして、使用者は、新たな包装体３０に対して、上記の要領で蓋体１００を装着して使用する。
【００３５】
以上の使用方法において、包装体保持部材１２１の一端は開閉部１１２に連結されているから、開閉部１１２を開くと、開閉部１１２が包装体保持部材１２１に引かれて閉まる方へ戻りにくくなるため、ウェットシートＳの取出しがしやすい。
なお、このような開閉部１１２を包装体保持部材１２１で開く方へ付勢する構造を実施しない場合は、包装体保持部材１２１の一端を枠体１１１の連結端１１１ｂ側の部分に連結する。能動的にループＬを小さく調整する調整機構を適用する場合は、前者と組合せ、手動操作によりループＬを調整するための調整機構を適用する場合は、後者と組み合わせて実施することが適当であるが、逆も可能である。
【００３６】
（実施形態の効果）
以上のように、本実施形態に係る蓋体１００によれば、開口部１１を外方から囲繞する蓋開口部１１１ａが形成された環状の枠体１１１と、枠体１１１に開閉自在に設けられるとともに枠体１１１の表面側から蓋開口部１１１ａを閉塞する開閉部１１２と、を備える蓋部１１０を備えるので、蓋材２０の粘着力が低下した場合であっても、包装体３０内部の気密性を確保することができる。
そして、蓋体１００は、一端が蓋部１１０の一端に連結され、他端が蓋部１１０の他端に連結され、蓋部１１０の下部にループＬを形成し、包装体３０をループＬに保持する保持部１２０を備えるので、蓋体１００を包装体３０の上面に接着させる必要がなくなり、包装体３０からの取り外しを容易なものとすることができる。従って、蓋体１００を他の包装体３０に再利用することが容易となり、使用者にとって利便性がよい。
また、保持部１２０が、包装体３０を内部方向に押圧可能に構成されているので、包装体３０の内部に収納されたウェットシートＳに対して保持部１２０から圧力を加えることができる。従って、残り枚数が少なくなったウェットシートＳを取り出す場合であっても、ポップアップ性が低下することはなく、取り出し易さを確保することができる。
【００３７】
また、本実施形態に係る蓋体１００によれば、枠体１１１の裏面又は外周面には、弾力性を有する素材で形成された密着部１１３が設けられているので、蓋体１００と包装体３０との密着性を向上させることができることとなって、包装体３０内部の気密性を向上させることができる。
さらに、蓋体１００によれば、包装体保持部材１２１が包装体３０の表面に沿ってコンパクトに収まる。蓋体１００は、包装体３０から取り外している未使用時も、包装体保持部材１２１を畳んだり、巻いたりするなどしてコンパクトに収容できる。
【符号の説明】
【００３８】
１     ウェットシート包装体
１０   袋本体
１１   開口部
２０   蓋材
３０   包装体
１００ ウェットシート包装体用蓋体
１１０ 蓋部
１１１ 枠体
１１１ａ      蓋開口部
１１１ｂ      連結端
１１２ 開閉部
１１３ 密着部
１２０ 保持部
１２１ 包装体保持部材
１２２ 調整機構
１２２Ａ      調整機構（巻取機構）
１２２Ａ１    巻取軸
１２２Ａ２    ぜんまいバネ
１２２Ｂ      調整機構
１２２Ｂ１    通しカン
１２２Ｂ２    面ファスナーのオス及びメスの一方
１２２Ｂ３    面ファスナーのオス及びメスの他方
１２２Ｃ      調整機構（平蛇腹）
Ｌ     ループ
Ｓ     ウェットシート
Ｓ１   ウェットシート積層体
【図１】
2018144846.tif 000003
【図２】
2018144846.tif 000004
【図３】
2018144846.tif 000005
【図４】
2018144846.tif 000006
【図５】
2018144846.tif 000007
【図６】
2018144846.tif 000008
【図７】
2018144846.tif 000009
【図８】
2018144846.tif 000010
【図９】
2018144846.tif 000011
【図１０】
2018144846.tif 000012
【図１１】
2018144846.tif 000013